(57)【要約】【課題】ディスクの回転方向と反対の方向に形成された溝部がディスク回転の際に内部空気を外部に排出して圧力差による吸入力を発生させることで、ディスクの振動現象を防止する簡単な構造のディスク駆動モーターを提供する。【解決手段】駆動部によって回転駆動され、上面にディスクが搭載されるターンテーブル；及び前記ターンテーブルの上部に付着されて前記ディスクを支持し、前記ディスクの回転方向と反対の方向に斜めに形成された溝部が形成された支持部材；を含む。【選択図】図４
2011070754.tif 000002
【特許請求の範囲】
【請求項１】
駆動部によって回転駆動され、上面にディスクが搭載されるターンテーブル；及び
前記ターンテーブルの上部に付着されて前記ディスクを支持し、前記ディスクの回転方向と反対の方向に斜めに形成された溝部が形成された支持部材；
を含むことを特徴とする、ディスク駆動モーター。
【請求項２】
前記溝部は前記支持部材の厚さ方向に除去され、前記支持部材が互いに分離されるように形成されたことを特徴とする、請求項１に記載のディスク駆動モーター。
【請求項３】
前記溝部は前記ターンテーブルの中心に対して均等な間隔でかつ同一形状に多数備えられることを特徴とする、請求項１に記載のディスク駆動モーター。
【請求項４】
前記溝部は前記支持部材の内周面から外周面まで同一間隔を持つか、外周面に行くほど間隔が大きくなるように形成されたことを特徴とする、請求項１に記載のディスク駆動モーター。
【請求項５】
前記溝部をなす前記支持部材の側壁は直線または曲線の形状を持つことを特徴とする、請求項１に記載のディスク駆動モーター。
【請求項６】
前記溝部は前記ディスクの回転方向に湾曲した形状を持つように形成されたことを特徴とする、請求項１に記載のディスク駆動モーター。
【請求項７】
前記支持部材は前記ターンテーブルの外周部に付着されたことを特徴とする、請求項１に記載のディスク駆動モーター。
【請求項８】
前記溝部は前記支持部材が厚さ方向に一部が除去されてなることを特徴とする、請求項１に記載のディスク駆動モーター。
【請求項９】
駆動部によって回転駆動され、上面にディスクが搭載され、上面に前記ディスクの回転方向と反対の方向に斜めに溝部が形成されたターンテーブルを含むことを特徴とする、ディスク駆動モーター。
【請求項１０】
前記ターンテーブルの上面外周部は上部に突出した構造を持ち、前記溝部は前記外周部に形成されたことを特徴とする、請求項９に記載のディスク駆動モーター。
【請求項１１】
前記溝部は前記ターンテーブルの中心に対して均等な間隔でかつ同一形状に多数備えられることを特徴とする、請求項９に記載のディスク駆動モーター。
【請求項１２】
前記溝部をなす前記ターンテーブルの側壁は内周面から外周面まで同一間隔を持つか、外周面に行くほど間隔が大きくなるように形成されたことを特徴とする、請求項９に記載のディスク駆動モーター。
【請求項１３】
前記溝部をなす前記ターンテーブルの側壁は直線または曲線の形状を持つことを特徴とする、請求項９に記載のディスク駆動モーター。
【請求項１４】
前記溝部は前記ディスクの回転方向に湾曲した形状を持つように形成されたことを特徴とする、請求項９に記載のディスク駆動モーター。
【発明の詳細な説明】
【技術分野】
【０００１】
本発明はディスク駆動モーターに関する。
【背景技術】
【０００２】
一般に、保存しようとするデータ量の増加につれて、データを保存する方式が、データを保存する所の電気容量、電気抵抗などを変化させることでデータを保存し、このような変化を電気的に読み取る電気的な方式から、データを保存する所の光の透過率、反射率、位相、偏光などを変化させることでデータを保存し、この変化をレーザービームで読み取る光学的方式に移行している。
【０００３】
光学的方式のデータ記録媒体である光ディスクは、通常ＣＤと言う音楽再生用デジタルオーディオディスク（Ｄｉｇｉｔａｌ Ａｕｄｉｏ Ｄｉｓｋ；ＤＡＤ）とデジタルビデオディスク（Ｄｉｇｉｔａｌ Ｖｉｄｅｏ Ｄｉｓｋ；ＤＶＤ）などがある。光ディスクはスピンドルモーター（ｓｐｉｎｄｌｅ ｍｏｔｏｒ）またはＯＤＤモーターによって回転するターンテーブル（ｔｕｒｎｔａｂｌｅ）に搭載され、光ディスクの半径方向に沿って移動するピックアップユニット（ｐｉｃｋ−ｕｐ ｕｎｉｔ）から走査されたレーザービームを反射させ、ピックアップユニットが反射されたビームの反射率または反射時のビームの位相または偏光の変化によってデータが読み取られる。
しかし、ターンテーブルが高速で回転するにしたがい、その上部に搭載されたディスクがターンテーブルからスリップするか、あるいはディスクが振動するウォブル（ｗｏｂｂｌｅ）現象によって正確なデータの読み取り（ｒｅａｄｉｎｇ）ができない問題点があった。このような問題点を解決するために、ディスクが搭載されるターンテーブルの上部にスリップ防止部材を付着することが開発もしくは常用化されている。
【０００４】
図１は従来技術によるスリップ防止部材を備えたモーター装置の概略的な断面図、図２は図１に示したモーター装置の概略的な上部斜視図である。以下、これら図を参照して従来技術によるモーター装置のスリップ防止構造について説明する。
図１及び図２に示すように、従来技術によるモーター装置１０は、駆動装置１４によって回転する回転軸１２が中央部に押し込まれるターンテーブル１６の上部にスリップ防止部材１８を付着し、その上部にディスクＤを搭載することで、ディスクＤのスリップ現象を防止する構造を持つ。
この際、スリップ防止部材１８は摩擦力に優れたゴムシートなどの材質で作られ、ターンテーブル１６の上面の縁部領域に環状に付着された。
【０００５】
しかし、環状を持つ従来のスリップ防止部材１８はディスクＤに摩擦力を提供してスリップ現象を防止する機能を果たすだけ、ディスクＤが上下方向に振動するウォブル現象を防止することができない限界があった。特に、ディスクＤが高速回転する場合、ウォブル現象はさらにひどくなるため、データの読み取りがもっと難しくなるしかなくて、これを解決するための方案が切実に要求されている。
【発明の開示】
【発明が解決しようとする課題】
【０００６】
したがって、本発明は前記のような問題点を解決するためになされたもので、本発明の目的はディスクの上下振動によるウォブル現象を防止することができる簡単な構造のディスク駆動モーターを提供することにある。
【課題を解決するための手段】
【０００７】
前記目的を達成するために、本発明の好適な実施例によるディスク駆動モーターは、駆動部によって回転駆動され、上面にディスクが搭載されるターンテーブル；及び前記ターンテーブルの上部に付着されて前記ディスクを支持し、前記ディスクの回転方向と反対の方向に斜めに形成された溝部が形成された支持部材；を含む。
【０００８】
前記溝部は前記支持部材の厚さ方向に除去され、前記支持部材が互いに分離されるように形成されることができる。
前記溝部は前記ターンテーブルの中心に対して均等な間隔でかつ同一形状に多数備えられることができる。
前記溝部は前記支持部材の内周面から外周面まで同一間隔を持つか、外周面に行くほど間隔が大きくなるように形成されることができる。
前記溝部をなす前記支持部材の側壁は直線または曲線の形状を持つことができる。
前記溝部は前記ディスクの回転方向に湾曲した形状を持つように形成されることができる。
前記支持部材は前記ターンテーブルの外周部に付着されることができる。
前記溝部は前記支持部材が厚さ方向に一部が除去されてなることができる。
【０００９】
また、前記目的を達成するために、本発明の他の好適な実施例によるディスク駆動モーターは、駆動部によって回転駆動され、上面にディスクが搭載され、上面に前記ディスクの回転方向と反対の方向に斜めに溝部が形成されたターンテーブルを含む。
前記ターンテーブルの上面外周部は上部に突出した構造を持ち、前記溝部は前記外周部に形成されることができる。
前記溝部は前記ターンテーブルの中心に対して均等な間隔でかつ同一形状に多数備えられることができる。
前記溝部をなす前記ターンテーブルの側壁は内周面から外周面まで同一間隔を持つか、外周面に行くほど間隔が大きくなるように形成されることができる。
前記溝部をなす前記ターンテーブルの側壁は直線または曲線の形状を持つことができる。
前記溝部は前記ディスクの回転方向に湾曲した形状を持つように形成されることができる。
【００１０】
本発明の特徴及び利点は添付図面に基づいた以降の詳細な説明からより明らかになるであろう。
本発明の詳細な説明に先立ち、本明細書及び請求範囲に使用された用語や単語は通常的で辞書的な意味に解釈されてはいけなく、発明者がその自分の発明を最善の方法で説明するために用語の概念を適切に定義することができるという原則にしたがって本発明の技術的思想にかなう意味と概念に解釈されなければならない。
【発明の効果】
【００１１】
本発明によれば、ディスクを支持する支持部材にディスクの回転方向と反対の方向に溝部を形成することで、ディスク回転の際、内部流体を外部に排出して圧力差を生成し、この圧力差によってディスクを支持部材に密着させることにより、ディスクの上下振動現象を簡単な構造で防止することができる。特に、ディスクの高速回転の際、圧力差はさらに大きくなるため、ディスク吸入力が一層増大し、高速でより安定的なディスクのデータ読み取りが可能になる。
また、本発明によれば、支持部材に溝部を同一間隔でかつ同一形状に形成することにより、ディスクの全領域に対して均一な吸入力を発生させることができる。
また、本発明によれば、溝部をディスクの回転方向に湾曲した構造を持つように形成することにより、外周面において外部から流体が流入する現象を防止することができる。
また、本発明によれば、別途の支持部材なしにターンテーブルの上面に圧力差を生成する溝部を形成することで、吸入力によってディスクのスリップ防止機能だけでなくディスクの上下振動現象も防止することができる。
【図面の簡単な説明】
【００１２】
【図１】従来技術によるスリップ防止部材を備えたモーター装置の概略的な断面図である。
【図２】図１に示したモーター装置の概略的な上部斜視図である。
【図３】本発明の好適な第１実施例によるディスク駆動モーターの断面図である。
【図４】図３に示したディスク駆動モーターの切開斜視図である。
【図５】図４に示したＫ部の詳細図である。
【図６】本発明の好適な第２実施例によるディスク駆動モーターの切開斜視図である。
【図７】本発明の好適な第３実施例によるディスク駆動モーターの切開斜視図である。
【図８】本発明の好適な第４実施例によるディスク駆動モーターの切開斜視図である。
【発明を実施するための形態】
【００１３】
本発明の目的、特定の利点及び新規の特徴は添付図面を参照する以下の詳細な説明及び好適な実施例から一層明らかに理解可能であろう。各図面の構成要素に参照番号を付け加えるにあたり、同じ構成要素がたとえ他の図面に図示されていても、できるだけ同じ符号を付けることにする。また、本発明の説明において、関連の公知技術についての具体的な説明が本発明の要旨を不要にあいまいにすることができると判断される場合はその詳細な説明を省略する。
【００１４】
以下、添付図面を参照して本発明の好適な実施例を詳細に説明する。
図３は本発明の好適な第１実施例によるディスク駆動モーターの断面図、図４は図３に示したディスク駆動モーターの切開斜視図、図５は図４に示したＫ部の詳細図である。以下、これら図を参照して本実施例によるディスク駆動モーター１００ａについて説明する。
【００１５】
図３〜図５に示すように、本実施例によるディスク駆動モーター１００ａは、ディスク搭載用ターンテーブル２００と流体流通用溝部７１０ａが形成された支持部材７００とを含んでなる。
ターンテーブル２００はディスクＤを搭載するためのもので、駆動部によって回転駆動されながら搭載されたディスクＤを回転させる。
例えば、ターンテーブル２００は中央部に回転軸３００が押し込まれて締結された状態で回転軸３００に対して垂直な方向に伸びる水平円板部２１０と、前記水平円板部２１０の縁部から下向きに垂直に折り曲げられ、回転軸３００との間に内部空間をなす環状折曲部２２０とからなる。
この際、水平円板部２１０の上面中央部には、ディスクＤをチャッキング（ｃｈｕｃｋｉｎｇ）するためのチャッキング組立体（ｃｈｕｃｋｉｎｇ ａｓｓｅｍｂｌｙ）２３０が備えられ、下面には、回転の際にターンテーブル２００の浮上を防止するための係合部（ｈｏｏｋｉｎｇ ｐａｒｔ）２４０及び／または吸引マグネット２５０が備えられることができる。ここで、係合部２４０は、例えばベアリングホルダー４２０に形成された突出部４２２と係合してターンテーブル２００の浮上を防止する役目をし、吸引マグネット２５０は、ベースプレート（ｂａｓｅ ｐｌａｔｅ）６００に締結されるベアリング４１０、ベアリングホルダー４２０、及び／またはステータ（ｓｔａｔｏｒ）５００との磁気引力によってターンテーブル２００の浮上を防止する役目をすることになる。一方、図面には係合部２４０と吸引マグネット２５０が特定位置に備えられるものとして示されているが、これは例示的なもので、ターンテーブル２００の浮上を防止する機能を果たすためにその位置が変わることができるものである。また、環状折曲部２２０の内面には、内部空間に備えられるステータ５００と作用して電磁気力を発生させるメーンマグネット２６０が備えられる。
【００１６】
一方、図面には、ターンテーブル２００が水平円板部２１０と環状折曲部２２０とからなる構造のものとして示されているが、同一構造のローターケースが備えられ、このローターケースの上部にディスクＤを搭載するための別途のターンテーブルが備えられることも可能であり、これも本発明に属するものであるといえる。
このようなターンテーブル２００はメーンマグネット２６０と作用して電磁気力を発生させるステータ５００を含み、回転軸３００、ベアリング部４００、及びベースプレート６００からなる駆動部によって回転される。
ここで、回転軸３００はターンテーブル２００を軸支するためのもので、所定の直径を持つ円柱形を持ち、外周面がベアリング４１０によって回転可能に支持され、支持体３２０に固定設置されるスラストワッシャー３１０によって下部が軸方向に支持される。
【００１７】
ベアリング部４００は回転軸３００を回転可能に支持するためのもので、回転軸３００の外周面を回転可能に支持するベアリング４１０と、ベースプレート６００に結合され、ベアリング４１０とステータ５００を支持するベアリングホルダー４２０とからなる。この際、ベアリングホルダー４２０の下側内面は支持体３２０に、下側外面はベースプレート６００にコーキングまたはスピニング（ｓｐｉｎｎｉｎｇ）処理されて固定結合される。
ステータ５００は外部電源を受けて電場を形成するためのもので、コア５１０と前記コア５１０に巻線されるコイル５２０とからなる。ここで、コア５１０はベアリングホルダー４２０の外周面に設置され、コイル５２０が多数回巻線され、コイル５２０は外部から印加される電源によって電場を形成することで、ターンテーブル２００のメーンマグネット２６０との間に形成される力によってターンテーブル２００を回転させる。
ベースプレート６００はディスク駆動モーター１００ａを全体的に支持するためのもので、ディスク駆動モーター１００ａが設置されるハードディスクドライブなどの装置に固定設置され、その上部に、ディスク駆動モーター１００ａを回転させるために電気が流れる回路（図示せず）が形成された回路基板６１０が結合される。この際、回路基板６１０は、ベースプレート６００に両面テープ、ネジ締結、リベット、コーキング（ｃａｕｋｉｎｇ）などの公知の方法で付着され、その上部には、エンコーダ（ｅｎｃｏｄｅｒ）、コネクター、受動素子のような電子素子６２０が実装される。
支持部材７００は搭載されるディスクＤを支持し、ディスクＤのスリップ防止のための摩擦力を提供するとともにディスクＤの振動を防止するための吸引力を提供するためのもので、弾性材質でターンテーブル２００の上面に形成される。
【００１８】
ここで、支持部材７００はターンテーブル２００の上面外周部に所定幅（Ｗ１）で備えられ、ディスクＤの回転方向（Ａ）と反対の方向に斜めに形成されることにより、ディスクＤの回転の際に発生する圧力差によって内部の流体Ｓを外部に排出する流路の機能をする溝部７１０ａを備えている。この際、溝部７１０ａはディスクＤの回転方向（Ａ）と反対の方向に斜めに形成された構造、つまりターンテーブル２００の中心部から溝部の側壁の内周面を連結するライン（ＯＣ）が溝部の側壁の外周面を連結するライン（ＯＤ）よりディスクＤの回転方向（Ａ）に前方に配置される構造を持つ。このような構造に溝部７１０ａが形成された場合、ディスクＤを支持部材７００に密着して搭載し、ディスクＤを回転させれば、ターンテーブル２００とディスクＤの間に存在する空気のような流体Ｓは流体通路の役目をする溝部７１０ａを通じて外部に流出される（図４参照）。この際、内部空間の圧力（Ｐｉ）は流体の流出によってほぼ真空状態を持つことになり、外部空間の圧力（Ｐｏ）との差によってディスクＤを上部から支持部材７００に吸着する吸入力（Ｆ）を発生させることになる（Ｐｏ＞Ｐｉ）。このような吸入力（Ｆ）によってディスクＤの振動現象が防止される。特に、ディスクＤの回転速度が速くなる場合、吸入力（Ｆ）がさらに強くなるので、高速回転の際、ディスクＤの不安定な動きをより安定に防止することができる。溝部７１０ａがディスクＤの回転方向（Ａ）と同一方向に斜めに形成されれば、ディスクＤの回転の際、外部から流体が内部に流入するため、好ましくない。
この際、溝部７１０ａは、その両側の支持部材７００を互いに分離するように、支持部材７００が垂直な厚さ方向に除去された構造を持つ。このような溝部７１０ａは、互いに分離された支持部材７００をターンテーブル２００に付着するか、あるいは環状の支持部材７００をターンテーブル２００に付着した後、ナイフのような切断道具で除去する簡単な工程で形成することができる。
【００１９】
また、溝部７１０ａは、ディスクＤの全方向に均一な吸入力（Ｆ）を発生させることができるように、ターンテーブル２００の中心に対して均等な間隔（３６０゜／Ｎ、Ｎは２以上の自然数）で多数備えられ、いずれも同じ形状を持つことが好ましい。
また、溝部７１０ａは、支持部材７００の内周面から外周面まで同一間隔、つまり内周面での間隔（Ｄｉ）と外周面での間隔（Ｄｏ）と同一に形成されるか（Ｄｉ＝Ｄｏ）、内周面での間隔（Ｄｉ）より外周面での間隔（Ｄｏ）が大きくなるように形成されること（Ｄｉ＜Ｄｏ）が好ましい。
また、溝部７１０ａを形成する支持部材７００の側壁と溝部７１０ａは直線または曲線の形状を持つことができるが、外部から内部への流体の流入を最小化するために、ディスクＤの回転方向（Ａ）に湾曲した形状を持つことが好ましい。すなわち、溝部７１０ａは曲線形状を持つが、溝部の側壁の内周面と外周面を連結したライン（ＣＤ）が溝部の側壁の内部の任意の地点よりディスクＤの回転方向（Ａ）に対して後側に位置する構造に形成されることが好ましい。溝部７１０ａがディスクＤの回転方向（Ａ）と反対の方向に湾曲した形状を持つ場合、溝部７１０ａは外周面でディスクＤの回転方向（Ａ）に形成された構造を持ち、外部から流体Ｓが流入することができるので好ましくない。
【００２０】
図６は本発明の好適な第２実施例によるディスク駆動モーターの切開斜視図である。以下、これを参照して本実施例によるディスク駆動モーター１００ｂについて説明する。本実施例の説明において、支持部材７００の構造を除き第１実施例と同様であるので、同一ないし類似の構成要素に対しては同一参照符号を付与し、重複した部分についての説明は省略する。
図６に示すように、本実施例によるディスク駆動モーター１００ｂは、ディスクＤとターンテーブル２００の間に形成される内部空間を最大に広くすることで、内部空間の圧力（Ｐｉ）と外部空間の圧力（Ｐｏ）の差を極大化して吸入力（Ｆ）を最大化する構造を特徴とする。
【００２１】
すなわち、支持部材７００の幅（Ｗ２）を第１実施例に示した支持部材７００の幅（Ｗ１）より減らすことで（Ｗ１＞Ｗ２）、ディスクＤとターンテーブル２００の間に形成される内部空間を最大化する構造を提供する。この際、支持部材７００はターンテーブル２００の外周部に付着され、ディスクＤのスリップを防止するための最小限の面積を持つ範囲内で最小限の幅（Ｗ２）を持つことが好ましい。
【００２２】
図７は本発明の好適な第３実施例によるディスク駆動モーターの切開斜視図である。以下、これを参照して本実施例によるディスク駆動モーター１００ｃについて説明する。本実施例の説明において、支持部材７００の構造を除き第１実施例と同様であるので、同一ないし類似の構成要素に対しては同じ参照符号を付与し、重複した部分についての説明は省略する。
図７に示すように、本実施例によるディスク駆動モーター１００ｃは、支持部材７００の溝部７１０ｂが支持部材７００の垂直な厚さ方向に一部が除去された構造を持つことを特徴とする。すなわち、支持部材７００は一体に連結された構造を持ち、溝部７１０ｂが形成された部分の厚さ（ｔ２）が溝部の形成されなかった領域の厚さ（ｔ１）より小さい構造を持つ。
このような構造を持つ支持部材７００は、環状の支持部材７００を付着した後、垂直な厚さ方向に支持部材７００の一部を除去して溝部７１０ｂを形成することで、ターンテーブル２００に付着することができる。これは、個別に分離された多数の支持部材７００を付着する場合に比べ、付着工程が容易になる。また、垂直な厚さ方向に一部だけ除去するため、垂直な厚さ方向に全部を除去する第１実施例に比べ、溝部の形成工程が易しくなるだけでなく、溝部の形成工程で切断道具によってターンテーブル２００の上面が損傷される問題を最小化することができる。
【００２３】
図８は本発明の好適な第４実施例によるディスク駆動モーターの切開斜視図である。以下、これを参照して本実施例によるディスク駆動モーター１００ｄについて説明する。本実施例の説明において、ターンテーブル２００と支持部材７００の構造を除き第１実施例と同一ないし類似の構成要素に対しては同じ参照符号を付与し、重複した部分についての説明は省略する。
図８に示すように、本実施例によるディスク駆動モーター１００ｄは、別途の支持部材を備えず、ターンテーブル２００の上面に溝部２１４が形成された構造を持つことを特徴とする。溝部２１４によって、ディスクＤの駆動の際、吸入力（Ｆ）が発生する場合、ディスクＤのスリップも防止することができるので、別途の支持部材を備えなくても、ターンテーブル２００に一体に形成された溝部２１４によってスリップ防止の機能及びディスクＤ吸入機能を同時に果たす構造を提供することになる。このような構造を採択する場合、別途の支持部材７００が必要でないので、材料費が節減されるだけでなく、支持部材７００の付着工程が不要になって製造工程も簡素化される。
この際、ターンテーブル２００は、外周部２１２が上部に突設されてディスクＤを支持し、外周部２１２の間に多数の溝部２１４が形成されることが好ましい。
【００２４】
以上、本発明を具体的な実施例に基づいて詳細に説明したが、これは本発明を具体的に説明するためのもので、本発明によるディスク駆動モーターはこれに限定されなく、本発明の技術的思想内で当該分野の通常の知識を持った者によって多様な変形及び改良が可能であろう。本発明の単純な変形ないし変更はいずれも本発明の範疇内に属するもので、本発明の具体的な保護範囲は特許請求範囲によって明らかに決まるであろう。
【産業上の利用可能性】
【００２５】
本発明は、ディスクの上下振動によるウォブル現象を防止する簡単な構造のディスク駆動モーターに適用可能である。
【符号の説明】
【００２６】
１００ａ、１００ｂ、１００ｃ、１００ｄ    ディスク駆動モーター
２００    ターンテーブル
７００    支持部材
７１０ａ、７１０ｂ、２１４    溝部
Ｄ    ディスク
Ｆ    吸入力
Ｓ    流体
【図１】
2011070754.tif 000003
【図２】
2011070754.tif 000004
【図３】
2011070754.tif 000005
【図４】
2011070754.tif 000006
【図５】
2011070754.tif 000007
【図６】
2011070754.tif 000008
【図７】
2011070754.tif 000009
【図８】
2011070754.tif 000010